(57)【要約】【課題】長時間使用されずにいた場合などに、不溶性成分が生じるようなことなく、記録装置に大型化、高コスト化を招くことなく安定的な記録状態を長期間好維持することが可能であるインクセットを用いたインクジェット記録装置の提供。【解決手段】インク中に揮発性成分を安定に取り込むことのできるインクセット、インクジェット記録装置で、不溶性成分を生成させなくする。【選択図】        図１
2004352767.tif 000002
【特許請求の範囲】
【請求項１】
少なくともシアン、イエロー、マゼンタインクを有するインクジェット記録装置に用いるインクセットであり、前記インクセットから選ばれる第１のインクは、蒸発する成分を含み、前記インクセットから選ばれる第２のインクは、前記第１のインクからの蒸発成分が溶解した結果、不溶性成分を生じうる成分を含む共に、前記第１のインクからの蒸発成分が前記第２のインクに溶解した場合に、前記第２のインク中に生じえる不溶性成分を安定な状態でインク中に取り込ませる成分を更に含んでいることを特徴とするインクセット。
【請求項２】
前記第１のインクから蒸発する成分が前記第２のインクに溶解したときに、前記第２のインクのｐＨ変化を抑制する成分を少なくとも一つ含む請求項１記載のインクセット。
【請求項３】
前記ｐＨ変化を抑制する成分が、ｐＨ値の上昇変化を抑制する成分である請求項２記載のインクセット。
【請求項４】
前記第２のインクにｐＨ変化が起こったときに前記第２のインク中に不溶性成分を生じさせる成分が、多価金属イオンである請求項２記載のインクセット。
【請求項５】
前記第２のインクにｐＨ変化が起こったときに前記第２のインク中に不溶性成分を生じさせる成分が、少なくとも顔料及び顔料分散剤を含む凝集物である請求項２記載のインクセット。
【請求項６】
請求項１〜５の何れかに記載のインクセットを構成しているインクを個別に収容しているインクタンクと、該インクを滴として吐出させるインクジェット記録ヘッドと、を具備していることを特徴とするインクジェット記録装置。
【発明の詳細な説明】
【０００１】
【発明の属する技術分野】
本発明は、インクセット及びそれを用いたインクジェット記録装置に関する。
【０００２】
【従来の技術】
本発明は、紙、プラスチックシート、布、物品等を包含する記録保持体（以下、代表的に「紙」と称する）に対してインク、機能性液体等（以下、代表的に「インク」と称する）を吐出することにより文字、記号、画像等（以下、代表的に「画像」と称する）の記録、印刷等（以下、代表的に「記録」と称する）を行うインクジェットヘッドや、該インクジェットヘッドに対して供給されるインクを貯溜するためのインク貯溜部を含むインクジェットペンが装着されるインクジェット記録装置のインクに関する。
【０００３】
本発明において言うインクジェットペンは、インクジェットヘッドとインク貯溜部とを一体としたカートリッジ形態も、それらを互いに別体として取り外し可能に組み合わせた形態も、共に包含するものを意味する。
【０００４】
このインクジェットペンは、装置本体側のキャリッジ等の搭載手段に対して着脱自在である。また、本発明において言うインクジェット記録装置は、ワードプロセッサやコンピュータ等の情報処理機器の出力端末として一体的に、または別体として設けられるものの他、情報読取機器等と組み合わされた複写装置、情報送受信機能を有するファクシミリ装置、布への捺染を行う機械等の種々の形態を包含するものを意味する。
【０００５】
少なくともシアン、イエロー、マゼンタからなり、該インクセットのうちの少なくとも一つのインクから蒸発する成分が他のインクへ溶解した結果、前記他のインク中に不溶性成分（尚ここでいう不溶性成分とは、安定に分散されているものは含まず、インクジェット記録装置において良好な吐出を妨げる物質のことをいう）を生じうる成分（例えば多価金属イオン等）を含むインクセットを用いるインクジェット記録装置において、何らの対策も取らずにいると、長時間使用されずにいた場合などに、上記不溶性成分により、良好に吐出するのが困難な状態になることがあり、回復させるためには、より複雑で強力な回復系等が必要になってくる。
【０００６】
ところで、複数の記録ヘッドを持つカラーインクジェット記録装置の場合、それぞれの記録ヘッドに対応して独立にキャップを備えると装置が大型化し、コストも高いものとなってしまう。このような問題点に対し、複数の記録ヘッドに対して、記録ヘッド数未満、好ましくは１個の吸引回復系を有したインクジェット記録装置が提案されている。この構成によれば、装置が大型化することもなくまたコストも低減できる（例えば特許文献１参照）。
【０００７】
しかしながら、上述のインクセットを用いるインクジェット記録装置においては、特に同一のキャップでキャッピングされる場合に不溶性成分による記録不良が生じるといった新たな問題が発生する。詳述すると少なくとも一つのインクから蒸発する成分が他のインクへ溶解した結果、不溶性成分を生ずると共に、記録時に記録媒体に対する着弾位置のずれ（所謂ヨレ）、更には、不吐出といった記録不良を生じる。この記録不良を防止するためには、なお更に、強力な吸引手段の負荷等、装置の大型化、高コスト化といった弊害を生じることは明白である。
【０００８】
【特許文献１】
特開２０００−１９８９５６号公報
【０００９】
【発明が解決しようとする課題】
本発明は、上述したような問題に鑑みて成されたもので、例えば、長時間使用されずにいた場合などに、上記不溶性成分が生じることなく、さらに記録装置に大型化、高コスト化を招くことなく安定的な記録状態を長期間好維持することが可能であるインクセットを用いるインクジェット記録装置を提供することを目的とする。
【００１０】
【課題を解決するための手段】
本発明は、下記構成を備えることにより上記課題を解決できるものである。
【００１１】
（１）少なくともシアン、イエロー、マゼンタインクを有するインクジェット記録装置に用いるインクセットであり、前記インクセットから選ばれる第１のインクは、蒸発する成分を含み、前記インクセットから選ばれる第２のインクは、前記第１のインクからの蒸発成分が溶解した結果、不溶性成分を生じうる成分を含む共に、前記第１のインクからの蒸発成分が前記第２のインクに溶解した場合に、前記第２のインク中に生じえる不溶性成分を安定な状態でインク中に取り込ませる成分を更に含んでいることを特徴とするインクセット。
【００１２】
（２）前記インクセットのうちの少なくとも一つのインクから蒸発する成分が他のインクに溶解した場合、前記他のインク中にｐＨ変化を抑制する成分を少なくとも一つ含むことを特徴とする前項（１）記載のインクセット。
【００１３】
（３）前記ｐＨ変化を抑制する成分とは、ｐＨ値の上昇変化を抑制する成分であることを特徴とする前項（２）記載のインクセット。
【００１４】
（４）前記他のインクにｐＨ変化が起こった場合に不溶性成分を生じさせる成分が、多価金属イオンであることを特徴とする前項（２）記載のインクセット。
【００１５】
（５）前記他のインクにｐＨ変化が起こった場合に不溶性成分を生じさせる成分が、顔料及び顔料分散剤またはその両方の凝集物、であることを特徴とする前項（２）記載のインクセット。
【００１６】
（６）少なくともシアン、イエロー、マゼンタインクセットを有するインクジェット記録装置であり、且つ前記インクのうちの少なくとも一つのインクから蒸発する成分が他のインクへ溶解した結果、不溶性成分を生じうるインクセットであり、且つ前記他のインク中に前記インクから蒸発する成分が溶解した場合に、前記他のインク中に其の成分を安定な状態でインク中に取り込みうる成分を少なくとも一つ含有するインクセットを用いるインクジェット記録装置。
【００１７】
（７）前記インクセットのうちの少なくとも一つのインクから蒸発する成分が他のインクに溶解した場合、前記他のインク中にｐＨ変化を抑制する成分を少なくとも一つ含むことを特徴とする前項（６）記載のインクセットを用いるインクジェット記録装置。
【００１８】
（８）前記ｐＨ変化を抑制する成分とは、ｐＨ値の上昇変化を抑制する成分であることを特徴とする前項（７）記載のインクセットを用いるインクジェット記録装置。
【００１９】
（９）前記他のインクにｐＨ変化が起こった場合に不溶性成分を生じさせる成分が、多価金属イオンであることを特徴とする前項（７）記載のインクセットを用いるインクジェット記録装置。
【００２０】
（１０）前記他のインクにｐＨ変化が起こった場合に不溶性成分を生じさせる成分が、顔料及び顔料分散剤またはその両方の凝集物、であることを特徴とする前項（７）記載のインクセットを用いるインクジェット記録装置。
【００２１】
【発明の実施の形態】
以下本発明の実施態様を基に詳述する。
【００２２】
本発明で使用する水性インクは、色材と、少なくとも１種の揮発性成分をインク中に安定に取り込める成分（即ちあるインク中に他のインクから蒸発する成分が溶解した場合に、その成分を安定な状態でインク中に取り込みうる成分）を含有して構成されることを特徴とする。使用することのできる成分としては、揮発性成分をインク中に安定な状態で取り込める成分であれば何れも使用することができる。例えば、具体的に言えば揮発性成分をイオンとしてインク中に溶解させる形で安定に取り込む能力のある成分が挙げられる。
【００２３】
代表的なものとしては、酸として、特に限定はなく、下記に挙げる無機酸や有機酸等から自由に選択して使用することができる。
【００２４】
具体的には、無機酸としては、例えば、塩酸、硫酸、亜硫酸、硝酸、亜硝酸、燐酸、硼酸、炭酸等が挙げられ、有機酸としては、例えば、下記に挙げるようなカルボン酸やスルホン酸、アミノ酸等が挙げられる。
【００２５】
カルボン酸としては、例えば、ギ酸、酢酸、クロロ酢酸、ジクロロ酢酸、トリクロロ酢酸、フルオロ酢酸、トリメチル酢酸、メトキシ酢酸、メルカプト酢酸、グリコール酸、プロピオン酸、酪酸、吉草酸、カプロン酸、カプリル酸、カプリン酸、ラウリン酸、ミリスチン酸、パルミチン酸、ステアリン酸、オレイン酸、リノール酸、リノレン酸、シクロヘキサンカルボン酸、フェニル酢酸、安息香酸、ｏ−トルイル酸、ｍ−トルイル酸、ｐ−トルイル酸、ｏ−クロロ安息香酸、ｍ−クロロ安息香酸、ｐ−クロロ安息香酸、ｏ−ブロモ安息香酸、ｍ−ブロモ安息香酸、ｐ−ブロモ安息香酸、ｏ−ニトロ安息香酸、ｍ−ニトロ安息香酸、ｐ−ニトロ安息香酸、シュウ酸、マロン酸、コハク酸、グルタル酸、アジピン酸、酒石酸、マレイン酸、フマル酸、クエン酸、フタル酸、イソフタル酸、テレフタル酸、サリチル酸、ｐ−ヒドロキシ安息香酸、アントラニル酸、ｍ−アミノ安息香酸、ｐ−アミノ安息香酸、ｏ−メトキシ安息香酸、ｍ−メトキシ安息香酸、ｐ−メトキシ安息香酸等が挙げられる。
【００２６】
また、スルホン酸としては、例えば、ベンゼンスルホン酸、メチルベンゼンスルホン酸、エチルベンゼンスルホン酸、ドデシルベンゼンスルホン酸、２，４，６−トリメチルベンゼンスルホン酸、２，４−ジメチルベンゼンスルホン酸、５−スルホサリチル酸、１−スルホナフタレン、２−スルホナフタレン、ヘキサンスルホン酸、オクタンスルホン酸、ドデカンスルホン酸等が挙げられる。
【００２７】
また、アミノ酸としては、グリシン、アラニン、バリン、α−アミノ酪酸、γ−アミノ酪酸、β−アラニン、タウリン、セリン、ε−アミノ−ｎ−カプロン酸、ロイシン、ノルロイシン、フェニルアラニン等が挙げられる。
【００２８】
また、これらの酸とともにその酸の共役塩を用いるとさらに効果的である。
【００２９】
共役塩としては、具体的にはそれぞれの酸に対して、そのアルカリ金属、アルカリ土類金属、遷移金属等の化合物が挙げられる。更には、１級、２級及び３級アミン塩や、第４アンモニウム基を持つものも用いることができる。
中では、水溶性の塩が好ましく用いられる。
【００３０】
さらに、代表的なものは塩基として、特に限定はなく、下記に挙げるような無機化合物や有機化合物等から自由に選択して、使用することができる。
【００３１】
具体的には、例えば、水酸化ナトリウム、水酸化リチウム、炭酸ナトリウム、炭酸アンモニウム、アンモニア、酢酸ナトリウム、酢酸アンモニウム、モルホリン、モノエタノールアミン、ジエタノールアミン、トリエタノールアミン、エチルモノエタノールアミン、ノルマルブチルモノエタノールアミン、ジメチルエタノールアミン、ジエチルエタノールアミン、エチルジエタノールアミン、ノルマルブチルジエタノールアミン、ジノルマルブチルエタノールアミン、モノイソプロパノールアミン、ジイソプロパノールアミン、トリイソプロパノールアミン等のアルカノールアミンを用いることができる。
【００３２】
また、これらの塩基とともにその塩基の共役塩を用いるとさらに効果的である。
【００３３】
共役塩としては、具体的にはそれぞれの塩基に対して、上にあげたような無機酸塩、有機酸塩が挙げられる。
【００３４】
そして、これらを１種又は２種以上混合して使用することができる。
【００３５】
カラーインク中に含有させる上記したような各成分の含有量は、例えば、インクジェット記録に用いる場合には、該インクが優れたインクジェット吐出特性を備え、又、所望の色調や濃度を有するように適宜選択すればよい。又、インクに含有される水の量は、インク全重量に対して５０〜９５重量％の範囲が好ましい。
【００３６】
更に、カラーインクを調製する際に用いる溶媒又は分散媒としては、例えば、水、或いは水と水溶性有機溶媒との混合溶媒が挙げられる。水溶性有機溶媒としては、以下のようなものが使用できる。
【００３７】
例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の炭素数１〜４のアルキルアルコール類；ジメチルホルムアミド、ジメチルアセトアミド等のアミド類；アセトン、メチルエチルケトン、メチルイソブチルケトン、ジアセトンアルコール等のケトン又はケトアルコール類；テトラヒドロフラン、ジオキサン等のエーテル類；ポリエチレングリコール、ポリプロピレングリコール等のポリアルキレングリコール類；エチレングリコール、プロピレングリコール、ブチレングリコール、トリエチレングリコール、１，２，６−ヘキサントリオール、チオジグリコール、ヘキシレングリコール、ジエチレングリコール等のアルキレン基が２〜６個の炭素原子を含むポリオール類；ポリエチレングリコールモノメチルエーテルアセテート等の低級アルキルエーテルアセテート；グリセリン；エチレングリコールモノメチル（又はエチル）エーテル、ジエチレングリコールメチル（又はエチル）エーテル、トリエチレングリコールモノメチル（又はエチル）エーテル等の多価アルコールの低級アルキルエーテル類；トリメチロールプロパン、トリメチロールエタン等の多価アルコール；Ｎ−メチル−２−ピロリドン、２−ピロリドン、１，３−ジメチル−２−イミダゾリジノン等が挙げられる。上記のような水溶性有機溶媒は、単独でも或いは混合物としても使用することができる。又、水としては脱イオン水を用いることが望ましい。
【００３８】
次にインクの他の成分について詳述する。
【００３９】
本発明に用いられるインクセットの着色剤としては、下記に挙げるような公知の染料や顔料を用いることができる。勿論着色剤以外の成分との兼ね合いで染料・顔料等適宜選択すれば良い。インク中に含有させる着色剤の含有量としては、インク全重量に対して、０．１〜１５重量％、特には１〜１０重量％の範囲とすることが好ましい。
【００４０】
（染料）
インク中に含有させる染料としては、例えば、酸性染料、反応染料、直接染料、食用染料等を用いることができる。これらの染料としては既存のものでも、新規に合成したものでもよく、画像を形成した場合に、適度な色調と濃度を有する画像が得られるものであれば大抵のものを用いることができる。又、これらのうちの何れかを混合して用いることも可能である。
【００４１】
下記に、インクに用いることのできる染料の具体例について、インクの色調別に例示する。
【００４２】
（イエロー用の色材）
Ｃ．Ｉ．ダイレクトイエロー：８、１１、１２、２７、２８、３３、３９、４４、５０、５８、８５、８６、８７、８８、８９、９８、１００、１１０、１３２
Ｃ．Ｉ．アシッドイエロー：１、３、７、１１、１７、２３、２５、２９、３６、３８、４０、４２、４４、７６、９８、９９
Ｃ．Ｉ．リィアクティブイエロー：２、３、１７、２５、３７、４２
Ｃ．Ｉ．フードイエロー：３
（レッド用の色材）
Ｃ．Ｉ．ダイレクトレッド：２、４、９、１１、２０、２３、２４、３１、３９、４６、６２、７５、７９、８０、８３、８９、９５、１９７、２０１、２１８、２２０、２２４、２２５、２２６、２２７、２２８、２２９、２３０
Ｃ．Ｉ．アシッドレッド：６、８、９、１３、１４、１８、２６、２７、３２、３５、４２、５１、５２、８０、８３、８７、８９、９２、１０６、１１４、１１５、１３３、１３４、１４５、１５８、１９８、２４９、２６５、２８９
Ｃ．Ｉ．リィアクティブレッド：７、１２、１３、１５、１７、２０、２３、２４、３１、４２、４５、４６、５９
Ｃ．Ｉ．フードレッド：８７、９２、９４
（ブルー用の色材）
Ｃ．Ｉ．ダイレクトブルー：１、１５、２２、２５、４１、７６、７７、８０、８６、９０、９８、１０６、１０８、１２０、１５８、１６３、１６８、１９９、２２６
Ｃ．Ｉ．アシッドブルー：１、７、９、１５、２２、２３、２５、２９、４０、４３、５９、６２、７４、７８、８０、９０、１００、１０２、１０４、１１７、１２７、１３８、１５８、１６１
Ｃ．Ｉ．リィアクティブブルー：４、５、７、１３、１４、１５、１８、１９、２１、２６、２７、２９、３２、３８、４０、４４、１００
（ブラック用色材）
Ｃ．Ｉ．ダイレクトブラック：１７、１９、２２、３１、３２、５１、６２、７１、７４、１１２、１１３、１５４、１６８、１９５
Ｃ．Ｉ．アシッドブラック：２、４８、５１、５２、１１０、１１５、１５６Ｃ．Ｉ．フードブラック１、２
（顔料）
本発明で使用することができる顔料には特に限定はないが、例えば、以下に説明する顔料が好適に使用できる。
【００４３】
先ず、ブラック顔料インクに使用されるカーボンブラックとしては、ファーネス法やチャネル法で製造されたカーボンブラックで、一次粒径が１５〜４０ｍμｍ、ＢＥＴ法による比表面積が５０〜３００ｍ２／ｇ、ＤＢＰ吸油量が、４０〜１５０ｍｌ／１００ｇ、揮発分が０．５〜１０重量％、ｐＨ値が２〜９を有するものが好ましい。
【００４４】
このようなものとしては、例えば、Ｎｏ．２３００、Ｎｏ．９００、ＭＣＦ８８、Ｎｏ．４０、Ｎｏ．５２、ＭＡ７、ＭＡ８、Ｎｏ．２２００Ｂ（以上、三菱化成製）、ＲＡＶＥＮ１２５５（コロンビア製）、ＲＥＧＡＬ４００Ｒ、ＲＥＧＡＬ６６０Ｒ、ＭＯＧＵＬ  Ｌ（以上、キヤボット製）、Ｃｏｌｏｒ  Ｂｌａｃｋ  ＦＷ１、Ｃｏｌｏｒ  Ｂｌａｃｋ  ＦＷ１８、Ｃｏｌｏｒ  Ｂｌａｃｋ  Ｓ１７０、Ｃｏｌｏｒ  Ｂｌａｃｋ  Ｓ１５０、Ｐｒｉｎｔｅｘ  ３５、Ｐｒｉｎｔｅｘ  Ｕ（以上、デグッサ製）等の市販品を使用することができる。また、新たに試作されたものでもよい。
【００４５】
イエローインクに使用される顔料としては、例えば、Ｃ．Ｉ．ＰｉｇｍｅｎｔＹｅｌｌｏｗ  １、Ｃ．Ｉ．Ｐｉｇｍｅｎｔ  Ｙｅｌｌｏｗ  ２、Ｃ．Ｉ．Ｐｉｇｍｅｎｔ  Ｙｅｌｌｏｗ  ３、Ｃ．Ｉ．Ｐｉｇｍｅｎｔ  Ｙｅｌｌｏｗ  １３、Ｃ．Ｉ．Ｐｉｇｍｅｎｔ  Ｙｅｌｌｏｗ  １６、Ｃ．Ｉ．Ｐｉｇｍｅｎｔ  Ｙｅｌｌｏｗ  ８３等が挙げられる。
【００４６】
マゼンタインクとして使用される顔料としては、例えば、Ｃ．Ｉ．Ｐｉｇｍｅｎｔ  Ｒｅｄ  ５、Ｃ．Ｉ．Ｐｉｇｍｅｎｔ  Ｒｅｄ  ７、Ｃ．Ｉ．Ｐｉｇｍｅｎｔ  Ｒｅｄ  １２、Ｃ．Ｉ．Ｐｉｇｍｅｎｔ  Ｒｅｄ  ４８（Ｃａ）、Ｃ．Ｉ．Ｐｉｇｍｅｎｔ  Ｒｅｄ  ４８（Ｍｎ）、Ｃ．Ｉ．Ｐｉｇｍｅｎｔ  Ｒｅｄ  ５７（Ｃａ）、Ｃ．Ｉ．Ｐｉｇｍｅｎｔ  Ｒｅｄ  １１２、Ｃ．Ｉ．Ｐｉｇｍｅｎｔ  Ｒｅｄ  １２２等が挙げられる。
【００４７】
シアンインクとして使用される顔料としては、例えば、Ｃ．Ｉ．Ｐｉｇｍｅｎｔ  Ｂｌｕｅ  １、Ｃ．Ｉ．Ｐｉｇｍｅｎｔ  Ｂｌｕｅ  ２、Ｃ．Ｉ．Ｐｉｇｍｅｎｔ  Ｂｌｕｅ  ３、Ｃ．Ｉ．Ｐｉｇｍｅｎｔ  Ｂｌｕｅ  １５：３、Ｃ．Ｉ．Ｐｉｇｍｅｎｔ  Ｂｌｕｅ  １６、Ｃ．Ｉ．Ｐｉｇｍｅｎｔ  Ｂｌｕｅ  ２２、Ｃ．Ｉ．Ｖａｔ  Ｂｌｕｅ  ４、Ｃ．Ｉ．Ｖａｔ  Ｂｌｕｅ  ６等が挙げられる。また、上記いずれの色の色材に関しても、新たに製造されたものでも使用可能である。
【００４８】
（顔料分散剤）
本発明で使用するインクに用いることができる顔料の分散剤としては、顔料を水、若しくは水性媒体に安定に分散させる機能を有する水溶性樹脂ならどんなものでも使用可能である。特に、重量平均分子量が１，０００〜３０，０００の範囲のものが好ましい。更に好ましくは３，０００〜１５，０００の範囲である。具体的には、例えば、スチレン、スチレン誘導体、ビニルナフタレン、ビニルナフタレン誘導体、α，β−エチレン性不飽和カルボン酸の脂肪族アルコールエステル等の疎水性単量体、又はアクリル酸、アクリル酸誘導体、マレイン酸、マレイン酸誘導体、イタコン酸、イタコン酸誘導体、フマル酸及びフマル酸誘導体から選ばれる二つ以上の単量体からなるブロック共重合体、グラフト共重合体或いはランダム共重合体、又はこれらの塩等が挙げられる。
【００４９】
更に親水性単量体からなるホモポリマー又はそれらの塩でもよい。また、ポリビニルアルコール、カルボキシメチルセルロース、ナフタレンスルホン酸ホルムアルデヒド縮合物等の水溶性樹脂も使用することが可能である。前記水溶性樹脂は、インク全量に対して０．１〜５重量％の範囲で使用されることが好ましい。
【００５０】
本発明で使用し得る顔料インクは、以上の如き顔料及び水溶性樹脂を水溶性媒体中に分散又は溶解して構成される。本発明に用い得る顔料系インクにおいて好適な水性媒体としては、水及び水溶性有機溶剤の混合溶媒であり、水としては種々のイオンを含有する一般の水ではなく、イオン交換水（脱イオン水）を使用するのが好ましい。
【００５１】
（自己分散型顔料）
また、分散剤を用いることなしに、水若しくは水性媒体に分散させることのできる自己分散型の顔料も使用できる。自己分散型の顔料は、顔料表面に少なくとも１種の親水性基が直接若しくは他の原子団を介して結合されているものである。親水性基としては、例えば、下記に挙げた親水性基の中から選択される少なくとも１種であるもの、更に他の原子団が、炭素原子数１〜１２のアルキレン基、置換基を有してもよいフェニレン基又は置換基を有してもよいナフチレン基であるものが挙げられる。
【００５２】
−ＣＯＯＭ、−ＳＯ３Ｍ、−ＳＯ２ＮＨ２、
−ＰＯ３ＨＭ、−ＰＯ３Ｍ２
（上記式中のＭは、水素原子、アルカリ金属、アンモニウム、又は有機アンモニウムを表わす。）
又、上記のカラーインクをインクジェット記録方法（例えば、バブルジェット（Ｒ）法等）で記録媒体に付着させる場合には、優れたインクジェット吐出特性を有するように、所望の粘度、表面張力を有するように調製してもかまわない
以下本発明に係るインクジェット記録装置の実施例について説明する。
【００５３】
図１は、本発明に係るインクジェット記録装置の一例を示す概略斜視図、図２（ａ）は、本発明に係る実施例におけるカラーインクジェット記録方法が実施もしくは適用されるインクジェット記録装置に好適な記録ヘッドカートリッジの斜視図、（ｂ）はその分解斜視図、図３は、図２に示す記録ヘッドカートリッジの構成を示す分解斜視図、図４は、図２に示した記録ヘッドカートリッジの底面側から眺めた斜視図である。
【００５４】
以下実施例について図面を参照して説明する。
【００５５】
先ず、主たる構成について、項目ごとに説明する。
【００５６】
＜インクジェット記録装置＞
図１において、６１はワイピング部材としてのブレードであり、その一端はブレード保持部材によって保持固定されており、カンチレバーの形態をなす。ブレード６１は記録ヘッド６５による記録領域に隣接した位置に配置され、又、本例の場合、記録ヘッド６５の移動経路中に突出した形態で保持される。
【００５７】
６２は記録ヘッド６５の突出口面のキャップであり、ブレード６１に隣接するホームポジションに配置され、記録ヘッド６５の移動方向と垂直な方向に移動して、インク吐出口面と当接し、キャッピングを行う構成を備える。更に、６３はブレード６１に隣接して設けられるインク吸収体であり、ブレード６１と同様、記録ヘッド６５の移動経路中に突出した形態で保持される。上記ブレード６１、キャップ６２及びインク吸収体６３によって吐出回復部６４が構成され、ブレード６１及びインク吸収体６３によって吐出口面の水分、塵埃等の除去が行われる。
【００５８】
６５は、吐出エネルギー発生手段を有し、吐出口を配した吐出口面に対向する被記録材にインクを吐出して記録を行う記録ヘッド、６６は記録ヘッド６５を搭載して記録ヘッド６５の移動を行うためのキャリッジである。キャリッジ６６はガイド軸６７と摺動可能に係合し、キャリッジ６６の一部はモーター６８によって駆動されるベルト６９と接続（不図示）している。これによりキャリッジ６６はガイド軸６７に沿った移動が可能となり、記録ヘッド６５による記録領域及びその隣接した領域の移動が可能となる。５１は被記録材を挿入するための給紙部、５２は不図示のモーターにより駆動される紙送りローラーである。
【００５９】
これらの構成により記録ヘッド６５の吐出口面と対向する位置へ被記録材が給紙され、記録が進行するにつれて排紙ローラー５３を配した排紙部へ排紙される。
【００６０】
以上の構成において記録ヘッド６５が記録終了してホームポジションへ戻る際、吐出回復部６４のキャップ６２は記録ヘッド６５の移動経路から退避しているが、ブレード６１は移動経路中に突出している。その結果、記録ヘッド６５の吐出口がワイピングされる。
【００６１】
尚、キャップ６２が記録ヘッド６５の吐出面に当接してキャッピングを行う場合、キャップ６２は記録ヘッド６５の移動経路中に突出するように移動する。記録ヘッド６５がホームポジションから記録開始位置へ移動する場合、キャップ６２及びブレード６１は、上述したワイピングの時の位置と同一の位置に存在する。
【００６２】
この結果、この移動においても記録ヘッド６５の吐出口面はワイピングされる。
【００６３】
上述の記録ヘッド６５のホームポジションへの移動は、記録終了時や吐出回復時ばかりでなく、記録ヘッド６５が記録のために記録領域を移動する間に所定の間隔で記録領域に隣接したホ−ムポジションへ移動し、この移動に伴って上記ワイピングが行われる。
【００６４】
＜インクジェット記録装置のメンテナンス方法＞
メンテナンス方法としては一般に、装置が長時間使用されずにいた場合などに、ノズル（以下、「吐出口」とも称す）内のインクの水分や他の揮発性成分が蒸発するなどしてインクの粘度が上昇したり、気泡がノズル内やインク流路に混入するなどして、インクが良好に吐出するのが困難な状態となることがある。このような状態を元の良好なインク吐出状態に回復させるために、インクジェット記録装置には何らかの回復手段が設けられていることが多い。そのような回復手段の一つとして、キャップがノズルを覆っているときにノズルからインクを吸引しインクタンク側から新しいインクをヘッドの方へ供給するための吸引機構を挙げることができる。このような吸引機構を構成する代表的な要素として、シリンダとピストンとの相対移動を利用して圧力変化を発生するシリンダポンプや、チューブをしごくことによって圧力変化を発生するチューブポンプ等を挙げることができる。
【００６５】
また、記録動作の際、各記録ヘッドの複数の吐出口のうち、記録する文字，画像等によってはインクが吐出されない吐出口も存在する。そのため、このようなインクが吐出されない吐出口では、インクの成分である水分が吐出口から蒸発し、インクが増粘することがあり、このような場合、吐出が不安定となったり、最悪の場合、不吐出となる場合がある。
【００６６】
以上のような吐出不良を防止するため、或るタイミングで記録ヘッドを非記録領域に移動し、所定個所にインク吐出を行なって、吐出口内部の増粘したインクを除去する、所謂、予備吐出が従来より行なわれている。
【００６７】
＜インクタンク、記録ヘッド＞
図２は、記録ヘッドカートリッジを示す斜視図および分解斜視図である。図３は、図２に示される記録ヘッドの構成を示す分解斜視図、図４は、そのヘッドの底面側から眺めた斜視図である。以下、これらの図面を参照して各構成要素の説明を行う。
【００６８】
記録ヘッドＨ１００１は、記録ヘッドカートリッジＨ１０００を構成する一構成要素であり、記録ヘッドカートリッジＨ１０００は、記録ヘッドＨ１００１と、記録ヘッドＨ１００１に着脱自在に設けられたインクタンクＨ１９００（Ｈ１９０１，Ｈ１９０２，Ｈ１９０３，Ｈ１９０４）とから構成されている。記録ヘッドＨ１００１は、インクタンクＨ１９００から供給されるインク（記録液）を、記録情報に応じて吐出口から吐出する。
【００６９】
この記録ヘッドカートリッジＨ１０００は、インクジェット記録装置本体に載設されているキャリッジ（不図示）の位置決め手段および電気的接点によって固定支持されると共に、キャリッジに対して着脱可能となっている。インクタンクＨ１９０１はブラック（黒）のインク用、インクタンクＨ１９０２はシアンのインク用、インクタンクＨ１９０３はマゼンタのインク用、インクタンクＨ１９０４はイエローのインク用である。このようにインクタンクＨ１９０１，Ｈ１９０２，Ｈ１９０３，Ｈ１９０４のそれぞれが記録ヘッドＨ１００１に対して着脱自在であり、それぞれのインクタンクが交換可能となっていることにより、インクジェット記録装置における印刷のランニングコストが低減される。
【００７０】
記録ヘッドＨ１００１は、電気信号に応じて膜沸騰をインクに対して生じさせるための熱エネルギーを生成する電気熱変換体（記録素子）を用いて記録を行うバブルジェット（Ｒ）方式のサイドシュータ型の記録ヘッドである。
【００７１】
記録ヘッドＨ１００１は、図３の分解斜視図に示すように、記録素子ユニットＨ１００２とインク供給ユニットＨ１００３とタンクホルダＨ２０００から構成されている。この図３に示した通り、記録ヘッドＨ１００１は、記録素子ユニットＨ１００２をビスＨ２４００によりインク供給ユニットＨ１００３に結合し、更に、タンクホルダＨ２０００と結合することにより完成する。その完成図を図４に示している。記録素子ユニットＨ１００２をインク供給ユニットＨ１００３に結合する際には、記録素子ユニットＨ１００２のインク連通口とインク供給ユニットＨ１００３のインク連通口とを、インクがリークしないように連通させるため、ジョイントシール部材Ｈ２３００を介してそれぞれの部材を圧着するようビスＨ２４００で固定する。
【００７２】
そして記録素子ユニットＨ１００２の電気コンタクト基板Ｈ２２００はインク供給ユニットＨ１００３の一側面に、インク供給ユニットＨ１００３の端子位置決めピン（２ヶ所）と電気コンタクト基板Ｈ２２００の端子位置決め穴（２ヶ所）により位置決めされ、固定される。固定方法としては、例えば、インク供給ユニットＨ１００３に設けられた端子結合ピンを、かしめることにより固定されるが、その他の固定手段を用いて固定しても良い。更にインク供給ユニットＨ１００３のタンクホルダとの結合穴および結合部をタンクホルダＨ２０００に嵌合させ結合することにより、記録ヘッドＨ１００１が完成する。
【００７３】
記録素子ユニットＨ１００２には、図３及び図４に示すように、インクタンクＨ１９０１から供給されたブラック（黒）インクを吐出する吐出口列Ｈ１０１１、インクタンクＨ１９０２から供給されたシアンインクを吐出する吐出口列Ｈ１０１２、インクタンクＨ１９０３から供給されたマゼンタインクを吐出する吐出口列Ｈ１０１３、及びインクタンクＨ１９０４から供給されたイエローインクを吐出する吐出口列Ｈ１０１４が設けられている。吐出口列Ｈ１０１１，Ｈ１０１２，Ｈ１０１３，Ｈ１０１４は、互いに平行な状態でその順番で並んでいる。
【００７４】
前述の図２（ａ），（ｂ）は、記録ヘッドカートリッジＨ１０００を構成する記録ヘッドＨ１００１とインクタンクＨ１９０１、Ｈ１９０２、Ｈ１９０３、Ｈ１９０４の装着を説明する図であり、インクタンクＨ１９０１、Ｈ１９０２、Ｈ１９０３、Ｈ１９０４の内部には、上述したように対応する色のインクが収納されている。それぞれのインクタンクには、インクタンク内のインクを記録ヘッドＨ１００１に供給するためのインク連通口が形成されている。例えばインクタンクＨ１９０１が記録ヘッドＨ１００１に装着されると、インクタンクＨ１９０１のインク連通口が記録ヘッドＨ１００１のジョイント部に設けられたフィルターと圧接され、インクタンクＨ１９０１内の黒インクがそのインク連通口から記録ヘッドＨ１００１のインク流路を介して吐出口列Ｈ１０１１のそれぞれの吐出口に向けて供給される。
【００７５】
そして、電気熱変換素子と吐出口のある発泡室にインクが供給され、電気熱変換素子に与えられる熱エネルギーによって被記録媒体である記録用紙に向けてインクが吐出される。
【００７６】
また本発明に好適に使用できる、吐出時に気泡を大気と連通する吐出方式の記録ヘッドの他の実施態様として、例えば日本特許登録第２７８３６４７号公報に記載のように、所謂エッジシュータータイプが挙げられる。
【００７７】
その代表的な構成や原理については、例えば、米国特許第４７２３１２９号明細書、同第４７４０７９６号明細書に開示されている基本的な原理を用いて行うものが好ましい。この方式は、所謂オンデマンド型、コンティニュアス型の何れにも適用可能であるが、特に、オンデマンド型の場合には、液体（インク）が保持されているシートや液流路に対応して配置されている電気熱変換体に、記録情報に対応していて核沸騰を超える急速な温度上昇を与える少なくとも一つの駆動信号を印加することによって、電気熱変換体に熱エネルギーを発生せしめ、記録ヘッドの熱作用面に膜沸騰を生じさせて、結果的にこの駆動信号に一対一で対応した液体（インク）内の気泡を形成できるので有効である。この気泡の成長、収縮により吐出用開口を介して液体（インク）を吐出させて、少なくとも一つの滴を形成する。この駆動信号をパルス形状とすると、即時適切に気泡の成長・収縮が行なわれるので、特に応答性に優れた液体（インク）の吐出が達成でき、より好ましいと言える。
【００７８】
このパルス形状の駆動信号としては、米国特許第４４６３３５９号明細書、同第４３４５２６２号明細書に記載されているようなものが適している。
【００７９】
なお、上記熱作用面の温度上昇率に関する発明の米国特許第４３１３１２４号明細書に記載されている条件を採用すると、更に優れた記録を行なうことができる。
【００８０】
記録ヘッドの構成としては、上述の各明細書に開示されているような吐出口、液流路、電気熱変換体の組み合わせ構成（直線状液流路または直角液流路）の他に、熱作用部が屈曲する領域に配置されている構成を開示する米国特許第４５５８３３３号明細書、米国特許第４４５９６００号明細書を用いた構成も本発明に含まれるものである。
【００８１】
加えて、複数の電気熱変換体に対して、共通するスリットを電気熱変換体の吐出部とする構成を開示する特開昭５９−１２３６７０号公報や熱エネルギーの圧力波を吸収する開孔を吐出部に対応させる構成を開示する特開昭５９−１３８４６１号公報に基づいた構成としても本発明は有効である。
【００８２】
更に、記録装置が記録できる最大記録媒体の幅に対応した長さを有するフルラインタイプの記録ヘッドとしては、上述した明細書に開示されているような複数記録ヘッドの組み合わせによってその長さを満たす構成や、一体的に形成された１個の記録ヘッドとしての構成の何れでもよい。
【００８３】
更に加えて、装置本体に装着されることで、装置本体との電気的な接続や装置本体からのインクの供給が可能になる交換自在のチップタイプの記録ヘッド、あるいは記録ヘッド自体に一体的にインクタンクが設けられたカートリッジタイプの記録ヘッドを用いることもできる。
【００８４】
そのほか、インクカートリッジとしては、記録ヘッドにインク供給部材、例えば、チューブを介して供給されるインクを収容したものも用いられる。
【００８５】
また、本発明で使用されるインクジェット記録装置としては、上述の様にヘッドとインクカートリッジとが別体となったものに限らず、それらが一体になったものにも好適に用いられる。
【００８６】
又、インク吸収体を用いず、例えばインク収容部が内部にバネ等を仕込んだインク袋であるような構造でもよい。
【００８７】
次に、第二の力学的エネルギーを利用したインクジェット記録装置の形態として、複数のノズルを有するノズル形成基板と、ノズルに対向して配置される圧電材料と導電材料からなる圧力発生素子と、この圧力発生素子の周囲を満たすインクを備え、印加電圧により圧力発生素子を変位させ、インクの小液滴をノズルから吐出させるオンデマンドインクジェット記録ヘッドを挙げることができる。
【００８８】
ヘッドは、インク室に連通したインク流路と、所望の体積のインク滴を吐出するためのオリフィスプレートと、インクに直接圧力を作用させる振動板と、この振動板に接合され、電気信号により変位する圧電素子と、オリフィスプレート、振動板等を指示固定するための基板とから構成されている。
【００８９】
以上のような構成の記録ヘッドは、圧電素子にパルス状の電圧を与え、歪（ひずみ）応力を発生させ、そのエネルギーが圧電素子に接合された振動板を変形させ、インク流路内のインクを垂直に加圧しインク滴をオリフィスプレートの吐出口より吐出して記録を行うように動作する。
【００９０】
この様な記録ヘッドは図１に示したものと同様な記録装置に組み込んで使用される。記録装置の細部の動作は前述と同様に行うもので差し支えない。
【００９１】
また、本発明の記録装置の構成として設けられる、記録ヘッドに対しての従来公知の回復手段、予備的な補助手段等を付加する構成としても勿論かまわない。
【００９２】
これらを具体的に挙げれば、記録ヘッドに対してのキャッピング手段、クリーニング手段、加圧あるいは吸引手段、電気熱変換体、あるいはこれとは別の加熱素子、あるいはこれらの組み合わせによる予備加熱手段、記録とは別の吐出を行う予備吐出モードを用いてもかまわない。
【００９３】
さらに、記録装置の記録モードとしては黒色等の主流色のみの記録モードだけではなく、記録ヘッドを一体的に構成するか複数個の組み合わせによってでもよいが、異なる色の複色カラー、または混色によるフルカラーの少なくとも一つを備えた装置にも、本発明は極めて有効である。
【００９４】
さらに加えて、本発明に係る記録装置の形態としては、ワードプロセッサやコンピュータ等の情報処理機器の画像出力端末として一体または別体に設けられるものの他、リーダと組み合せた複写装置、さらには送受信機能を有するファクシミリ装置の形態を採るものであってもよい。
【００９５】
（実施例）
以下、実施例および比較例を用いて、更に具体的に説明するが、本発明は、その要旨を超えない限り、下記実施例により限定されるものではない。尚以下の記載で、「部」、「％」とあるものは特に断らない限り質量基準である。
【００９６】
以下に示す成分を混合し、十分に攪拌して溶解した後、ポアサイズ０．２μｍのミクロフィルタ（富士フィルム製）にて加圧濾過し、本実施例に用いるインクを調整した。
【００９７】
2004352767.tif 000003
2004352767.tif 000004
以上のようなインクセットと、図１〜４に示すようなインクジェット記録装置及び記録ヘッドを用いて、以下の手順で放置試験をおこなった。
【００９８】
上記２つのＣｙａｎインクを図２に示すインクタンク  Ｈ１９０２〜Ｈ１９０４３つに充填し、Ｈ１９０１  １つに上記Ｙｅｌｌｏｗインクを充填した記録ヘッドをそれぞれインクジェット記録装置に装着し、記録ヘッドの着荷時に行なわれる吸引回復動作後に印字を行い、それを初期印字とした。
【００９９】
その後、直径１５センチメートル、高さ５センチメートルの円筒容器に上記Ｍａｇｅｎｔａインク１００ｍｌ入れ、その上に液面から３センチメートルの高さにそれぞれの記録ヘッドをさらした状態で、系全体を密閉し４０℃の環境下で放置した。
【０１００】
放置期間は３日、５日、７日で行った。
【０１０１】
それぞれの放置期間後再び印字を行い、初期印字結果と比較した。
【０１０２】
結果は表１に示す通りであり、比較例のＣｙａｎインク  １を用いた記録ヘッドの場合、５日程度で記録不良が見られるのに比較して、酢酸と酢酸リチウムを含有させた本実施例のＣｙａｎインク  ２では７日たっても記録不良が発生することはなかった。
【０１０３】
また、Ｙｅｌｌｏｗインクにおいてはどちらの場合にも７日たっても全く記録不良は見られなかった。
【０１０４】
比較例の印字不良は、Ｃｙａｎインク  １を用いた記録ヘッドの吐出口近傍に不溶性物質が存在していることが確認出来た。更に分析した結果、不溶性物質は水酸化マグネシウムであることが確認できた。即ち前記不溶性物質はＭａｇｅｎｔａインクから蒸発したアンモニアがＣｙａｎインク  １に溶解し、水酸化マグネシウムとして析出したことは明らかである。また実施例においては、記録不良が全く見られなかったことから、Ｍａｇｅｎｔａインクから蒸発したアンモニアが、酢酸および酢酸リチウムによりＣｙａｎインク  ２中に安定な形（おそらくアンモニウムイオンの形として）で、取り込むことができた為であると推測される。
【０１０５】
本実施例においては不溶性成分を生じうる成分として硫酸マグネシウム、そのほかの成分としては酢酸と酢酸リチウムを用いたが、この点は本発明の極一例を示すに過ぎず、本発明の本質ではない。また、上述の実施例の事実からすれば、一般のインクジェット記録装置に本発明を適応しても同様の効果を発揮することは明白である。
【０１０６】
【表１】
2004352767.tif 000005
【０１０７】
【発明の効果】
以上、説明したように、本発明によれば例えば長時間使用されずにいた場合などに、記録ヘッド内に上記不溶性成分が生じることなく、且つインクジェット記録装置の大型化、高コスト化を招くことなく安定的な記録状態を長期間好維持することが可能なインクセットを用いるインクジェット記録装置を提供することができる。
【図面の簡単な説明】
【図１】本発明に係るインクジェット記録装置の一例を示す概略斜視図。
【図２】（ａ）本発明に係る実施例におけるカラーインクジェット記録方法が実施もしくは適用されるインクジェット記録装置に好適な記録ヘッドカートリッジの斜視図。
（ｂ）その分解斜視図。
【図３】図２に示す記録ヘッドカートリッジの構成を示す分解斜視図。
【図４】図２に示した記録ヘッドカートリッジを底面側から眺めた斜視図。
【符号の説明】
５１  給紙部
５２  紙送りローラー
５３  排紙ローラー
６１  ブレード
６２  キャップ
６３  インク吸収体
６４  吐出回復部
６５  記録ヘッド
６６  キャリッジ
６７  ガイド軸
６８  モーター
６９  ベルト
Ｈ１０００  記録ヘッドカートリッジ
Ｈ１００１  記録ヘッド
Ｈ１００２  記録素子ユニット
Ｈ１００３  インク供給ユニット
Ｈ１９００  インクタンク
Ｈ２０００  タンクホルダ
【図１】
2004352767.tif 000006
【図２】
2004352767.tif 000007
【図３】
2004352767.tif 000008
【図４】
2004352767.tif 000009